(57)【要約】【課題】  水道供給設備の第三者による不正使用を防止することを目的とする。【解決手段】  本体に起立させ、一方向に回転させて開栓させ、他方向に回転させて閉栓させる止水栓と、止水栓を回転させるため止水栓の上端に固着した取手とを備える水道蛇口取手において、止水栓に止水機構を取手に施錠機構をそれぞれ設け、止水栓を閉栓して止水後施錠することができるようにした水道蛇口取手とした。【選択図】  図６
2007085047.tif 000002
【特許請求の範囲】
【請求項１】
本体に起立させ、一方向に回転させて開栓させ、他方向に回転させて閉栓させる止水栓と、止水栓を回転させるため止水栓の上端に固着した取手とを備える水道蛇口取手において、止水栓に止水機構を取手に施錠機構をそれぞれ設け、止水栓を閉栓して止水後施錠することができるようにした水道蛇口取手。
【請求項２】
止水栓と取手との接合部に、取手の回転を止水栓に伝達するストッパーを設けた請求項１記載の水道蛇口取手。
【請求項３】
止水栓と取手との接合部に、取手の回転を止水栓に伝達するストッパーを設け、施錠時にストッパーが止水栓と取手との間には介在せずに取手が空回りすることによって止水栓を開栓できなくするようにした請求項１記載の水道蛇口取手。
【発明の詳細な説明】
【技術分野】
【０００１】
本発明は、水道蛇口の取手に設置され、第三者による水道の不正使用を防止するための施錠機構を備えた水道蛇口取手に関するものである。
【背景技術】
【０００２】
現在、多くの施設、住宅などで屋外に水道供給設備が設置され、その多くは水道止水栓の取手さえ回せば簡単に取水できる。
【０００３】
しかしながら、その水道供給設備の所有者および関係者以外の第三者に不正に取水されるという実情があり、その対策が望まれている。
【０００４】
従来の技術としては、止水栓取手を取り外し、止水栓部分に施錠機能を取付けたものがある。
【０００５】
また、水道止水栓そのものをカバーで囲い、施錠するものがある。
【特許文献１】特開２００４−７６２９７
【特許文献２】特開２００３−１２９５３４
【特許文献３】特開２００１−６５２１３
【発明の開示】
【発明が解決しようとする課題】
【０００６】
従来の技術では、水道止水栓の取手そのものを取外すことにより、解錠後の取手を取付ける作業が発生する。
【０００７】
また、水道使用時においては、取手そのものを携帯しなければならず、取手の形状および大きさからして常時携帯することに不便が生じる。
【０００８】
さらに、現在の既設の水道設備で、限られた空間内に設置されている場合は、カバーなどを取付けることが必ずしも容易でなく、新たに空間を確保するための施工改装が必要になるため、従来の技術では全ての現設備に対して対応できない場合がある。
【０００９】
本発明は、上述の実情を解決し、屋外などに設置された水道供給設備の第三者による不正使用を防止することを課題とする。
【課題を解決するための手段】
【００１０】
本発明は、水道供給設備の第三者による不正使用を防止するために、本体に起立させ、一方向に回転させて開栓させ、他方向に回転させて閉栓させる止水栓と、止水栓を回転させるため止水栓の上端に固着した取手とを備える水道蛇口取手において、止水栓に止水機構を取手に施錠機構をそれぞれ設け、止水栓を閉栓して止水後施錠することができるようにした水道蛇口取手とした。
【００１１】
また、本発明は、具体的には、止水栓と取手との接合部に、取手の回転を止水栓に伝達するストッパーを設けたものである。
【００１２】
さらに、本発明は、止水栓と取手との接合部に、取手の回転を止水栓に伝達するストッパーを設け、施錠時にストッパーが止水栓と取手との間には介在せずに取手が空回りすることによって止水栓を開栓できなくするようにしたものである。
【発明の効果】
【００１３】
本発明は、取手内部そのものに施錠機構を組み込み、施錠後、水道止水栓の取手を回しても取手が空回りすることによって止水栓が回らず、取水できないものとした。
【００１４】
また、本発明は、取手そのものに施錠機構を搭載するため、その形状、大きさのために保管管理および携帯に不便性のある取手を取り外すことなく、水道設備を管理できる。
【００１５】
さらに、本発明は、合鍵を作ることによって、例えばその住宅に住む家族構成員それぞれが鍵を携帯することで、一つの鍵を受け渡しすることなく水道設備を使えるという利便性が考えられる。
【００１６】
その上に、本発明は、鍵をキーホルダーで保管したり、自転車などの他の鍵と一緒に取付けて一括管理することで、取手そのものの管理よりも便利で携帯するにも容易である。      
【００１７】
本発明は、既設の水道設備の取手と取り替えるだけで良いので、従来の方法によるカバーなどの取付けの必要はなく、取付けのための空間の確保やそのための施工費用の必要もない。
【００１８】
また、本発明は、取手内部に施錠機構と止水栓に止水機構を組み込んでいるため、現在既設の多くの水道止水栓に使えることができ、汎用性に優れる。
【発明を実施するための最良の形態】
【００１９】
本発明を添付する図面に示す具体的な一実施例に基づいて、以下詳細に説明する。
【００２０】
図１は、本発明の全体の概要を示す斜視図である。
【００２１】
止水栓２は、本体１から起立させ回動自在に設けられ、止水栓２の上部には円盤状の固定具３が固着され、止水栓２と固定具３とをスプライン嵌合により一体として回動する。      
【００２２】
この止水栓２と一体化された固定具３の上端に取手２１が固定ネジ４により螺締される。取手２１は、概略三角形状で各辺の中央部が内側に凹んだフレーム６と、その上面を覆った取手カバー５とよりなる。通常、取手２１を右回りに回転させると、止水栓２は下方に移動して閉栓して止水し、取手２１を左回りに回転させると開栓して吐水する。
【００２３】
本発明は、上記の従来の水道蛇口の取手２１に鍵孔を上方に位置させた鍵部１０の施錠機構を設け、止水栓２にストッパー７等の止水機構をそれぞれ設けたものである。
【００２４】
図２に止水栓２と固定具３との連結状態を示す。
【００２５】
固定具３の中央の連結孔２２の内面にはスプライン溝２３が刻設してあり、止水栓２の上端部はスプライン軸２４に形成してあって、固定具３の連結孔３０に止水栓２の上端部を嵌合させると両者は一体化される。
【００２６】
一体化された止水栓２と固定具３の側面にバネ、ストッパーを受け入れる受入穴２５を凹設する。取付カバー５は固定ネジ４で止水栓２上端面に螺締される。
【００２７】
図３には、前記受入穴２５に挿入するバネ６、ストッパー７を示す。このバネ６でストッパー７を外方に向けて付勢させる。ストッパー７に外方から力が加わった際は、バネ６が縮設してストッパー７の外端は固定具３の外周より突出しない大きさに設定する。
【００２８】
フレーム８は図４に示すように、その中心穴２６が前記固定具３に外嵌まりし、ビス２７により取手カバー５に固定する。したがって、取手２１の回動は止水栓２に伝達される。
【００２９】
取手２１は鍵部１０が設けられ、鍵部１０の前記固定具３の受入穴２５に対向する箇所に水平状の案内孔２８を穿設する。この案内孔２８には案内孔２８を摺動し、前記ストッパー７に当接するピン９を設ける。
【００３０】
図５、図６に取手施錠時の状態を示す。
【００３１】
フレーム８の案内孔２８のピン９は鍵部１０によって位置を固定され、その結果、固定具３の受入穴２５のストッパー７がバネ６の付勢力によっても押し出されず、ストッパー７は固定具３とフレーム８の境界に保持される。それにより取手２１を回してもフレーム８が固定具３の周りを空回りするだけで止水栓２に回転トルクは伝達されない。よって、第三者による不正取水を防ぐことができる。
【００３２】
次に、取手開栓時の状態を図７、図８に示す。
【００３３】
開錠時において、鍵部１０が回転し、固定具３のストッパー７はバネ６の付勢力により押し出され、鍵部１０の凹部２９にピン９は押し込まれる。その時、ストッパー７は固定具３とフレーム８の境界をまたぎ、固定具３とフレーム８はストッパー７によって固定される。それによって取手２１を回せば止水栓２に回転トルクが伝達され吐水及び止水することができる。
【産業上の利用可能性】
【００３４】
本発明は、施錠機構を備えさせ、水道の不正使用を防止するようにしたが、本発明の施錠機構及び止水機構を用いて、他の止水栓の不正使用防止にも利用できる。
【図面の簡単な説明】
【００３５】
【図１】本発明の具体的一実施例の全体の概要を示す斜視図である。
【図２】本発明の止水栓と固定具との連結状態を示す平面図と側面図との２面図である。
【図３】本発明のバネとストッパーの側面図である。
【図４】本発明の取手とピンの平面図と取手の側面図との２面図である。
【図５】本発明の取手施錠時の取手の平面図である。
【図６】本発明の取手施錠時の取手の側面図である。
【図７】本発明の取手開錠時の取手の平面図である。
【図８】本発明の取手開錠時の取手の側面図である。
【符号の説明】
【００３６】
１…本体
２…止水栓
２１…取手
１０…鍵部（施錠機構の例）
７…ストッパー（止水機構の例）
【図１】
2007085047.tif 000003
【図２】
2007085047.tif 000004
【図３】
2007085047.tif 000005
【図４】
2007085047.tif 000006
【図５】
2007085047.tif 000007
【図６】
2007085047.tif 000008
【図７】
2007085047.tif 000009
【図８】
2007085047.tif 000010